(57)【要約】【課題】  目地部の下部の空気を換気できる床用目地装置を提供すること。【解決手段】  左右の躯体間の目地部を塞ぐ床用目地装置であって、一方の躯体に設けられた第１の目地プレート支持部と、他方の躯体に設けられた第２の目地プレート支持部と、前記第１の目地プレート支持部に一端部側が支持されるとともに、前記第２の目地プレート支持部に他端部側が支持され、かつ、目地部を塞ぐ目地プレートと、前記目地プレートの底面を支持する目地プレート支持機構とで構成され、前記目地プレート支持機構は、その下端部が前記他方の躯体の壁面に回動可能に取り付けられ、その上端部に支持プレートが回動可能に設けられた支持バーと、該支持バーに一端部が回動可能に取り付けられ、他端部が前記第２の目地プレート支持部に支持された前記支持プレートと、前記支持プレートを所定の位置に位置させる位置決め手段とから成り、前記目地プレート及び支持プレートは、平面視略格子状の透孔を有する。【選択図】  図１
2018188869.tif 000002
【特許請求の範囲】
【請求項１】
左右の躯体間の目地部を塞ぐ床用目地装置であって、一方の躯体に設けられた第１の目地プレート支持部と、他方の躯体に設けられた第２の目地プレート支持部と、前記第１の目地プレート支持部に一端部側が支持されるとともに、前記第２の目地プレート支持部に他端部側が支持され、かつ、目地部を塞ぐ目地プレートと、前記目地プレートの底面を支持する目地プレート支持機構とで構成され、
前記目地プレート支持機構は、その下端部が前記他方の躯体の壁面に回動可能に取り付けられ、その上端部に支持プレートが回動可能に設けられた支持バーと、該支持バーに一端部が回動可能に取り付けられ、他端部が前記第２の目地プレート支持部に支持された前記支持プレートと、前記支持プレートを所定の位置に位置させる位置決め手段とから成り、
前記目地プレート及び支持プレートは、平面視略格子状の透孔を有する床用目地装置。
【請求項２】
前記目地プレートは、平面視略ハニカム構造に透孔が形成されていることを特徴とする請求項１記載の床用目地装置。
【発明の詳細な説明】
【技術分野】
【０００１】
本発明は目地部を介して設けられた躯体の間の目地部を塞ぐ床用目地装置に関する。
【背景技術】
【０００２】
従来、他人の敷地や公道等との境界付近に形成された目地部を塞ぐ床用目地装置としては、「免震ビル等の建物の外壁面と目地部を介して境界線近傍等に設けられ、よう壁の目地部側の上面に形成され、かつ、反目地部側（境界線側）に傾斜面を有する支持凹部と、この支持凹部に一端部が支持され、他端部が前記建物の外壁面寄りの部位に位置する支持目地プレートと、この支持目地プレートの他端部寄りの部位に上部が枢支され、下部が前記よう壁の目地部側の下部位置に枢支された、該支持目地プレートの一端部が前記支持凹部より脱落することなく、かつ支持凹部よりよう壁の上面への移動が可能に支持する支持目地プレート支持体と、前記支持目地プレートにスライド移動可能に支持される一端部が、該支持目地プレートの一端部とほぼ同じ位置に位置し、他端部が前記建物の外壁面に上下移動可能に取付けられた目地プレートとからなることを特徴とする床用目地装置」が知られている（特許文献１）。
【０００３】
しかしながら、このような床用目地装置では、支持目地プレート及び目地プレートによって目地部を覆うため目地部の下部（いわゆる免震層）が換気できず、例えば地下室等の余分な空気を目地部から排出できないという欠点があった。
【先行技術文献】
【特許文献】
【０００４】
【特許文献１】特許第４４９９０３３号公報
【発明の概要】
【発明が解決しようとする課題】
【０００５】
本発明は以上のような従来の欠点に鑑み、目地部の下部の空気を換気できる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の床用目地装置は、左右の躯体間の目地部を塞ぐ床用目地装置であって、一方の躯体に設けられた第１の目地プレート支持部と、他方の躯体に設けられた第２の目地プレート支持部と、前記第１の目地プレート支持部に一端部側が支持されるとともに、前記第２の目地プレート支持部に他端部側が支持され、かつ、目地部を塞ぐ目地プレートと、前記目地プレートの底面を支持する目地プレート支持機構とで構成され、前記目地プレート支持機構は、その下端部が前記他方の躯体の壁面に回動可能に取り付けられ、その上端部に支持プレートが回動可能に設けられた支持バーと、該支持バーに一端部が回動可能に取り付けられ、他端部が前記第２の目地プレート支持部に支持された前記支持プレートと、前記支持プレートを所定の位置に位置させる位置決め手段とから成り、前記目地プレート及び支持プレートは、平面視略格子状の透孔を有することを特徴とする。
【発明の効果】
【０００８】
以上の説明から明らかなように、本発明にあっては次に列挙する効果が得られる。
（１）請求項１に記載の発明においては、目地プレート及び支持プレートは、平面視略格子状に形成されているので、地下室等の換気をする際に、目地部を利用して行うことができる。
（２）請求項２に記載の発明においても、前記（１）と同様な効果が得られるとともに、目地プレートがハニカム構造に構成されているので、より高荷重に耐えることができる。
【図面の簡単な説明】
【０００９】
図１乃至図６は本発明の第１の実施形態を示す説明図である。
図７乃至図１０は本発明の第２の実施形態を示す説明図である。
図１１乃至図１４は本発明の第３の実施形態を示す説明図である。
【図１】第１の実施形態を示す床用目地装置の平面図（通常時）。
【図２】図１の２−２線に沿う断面図。
【図３】目地プレートの斜視説明図。
【図４】支持プレートの斜視説明図。
【図５】地震で目地部が狭くなった正面視側からの動作説明図。
【図６】地震で目地部が広くなった正面視側からの動作説明図。
【図７】第２の実施形態を示す床用目地装置の平面図。
【図８】図７の８−８線に沿う断面図。
【図９】目地プレートの斜視説明図。
【図１０】支持プレートの斜視説明図。
【図１１】第３の実施形態を示す床用目地装置の平面図。
【図１２】図１１の１２−１２線に沿う断面図。
【図１３】目地プレートの斜視説明図。
【図１４】支持プレートの斜視説明図。
【発明を実施するための形態】
【００１０】
以下、図面に示す本発明を実施するための形態により、本発明を詳細に説明する。
図１乃至図６に示す本発明を実施するための第１の形態において、１は目地部２を介して設けられた一方の躯体３及び他方の躯体４間に設置された床用目地装置である。
なお、左右方向とは図１（平面視）における左右方向であり、前後方向とは図１における上下方向、上下方向とは図２における上下方向をいう。
【００１１】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１２】
本実施形態の床用目地装置１は、図１及び図２に示すように、一方の躯体３に設けられた第１の目地プレート支持部５と、他方の躯体４に設けられた第２の目地プレート支持部６と、前記第１の目地プレート支持部５に一端部側が支持されるとともに、前記第２の目地プレート支持部６に他端部側が支持され、かつ、目地部２を塞ぐ目地プレート７と、この目地プレート７の底面を支持する目地プレート支持機構８とで構成されている。
【００１３】
また、この目地プレート支持機構８は、例えば、図２に示すように、その下端部が前記他方の躯体４の下部壁面４ａに回動可能に取り付けられ、その上端部に支持プレート９の一端部が接続する支持バー１０と、該支持バー１０に一端部が回動可能に取り付けられ、他端部が前記第２の目地プレート支持部に支持された略水平状態の前記支持プレート９と、前記支持プレート９を所定の位置に位置させることができる位置決め手段１１とで構成されている。
【００１４】
一方の躯体３の上端部には、例えば図２に示すように、第１の目地プレート支持部５が形成されている。この第１の目地プレート支持部５は前後方向に延在する凹所状に形成されており、目地プレート７の取付ピン１２を垂直方向に挿入することができるピン挿入孔１３が形成されている。
【００１５】
他方の躯体４には、例えば図５に示すように、段差面を有する第２の目地プレート支持部６が形成されている。付言すると、この第２の目地プレート支持部６は、例えば図２に示すように、他方の躯体４の目地部２側の端部に形成された前後方向に延在する凹所状の部位で、目地部２と反対側の端部には、地震によって目地部２が狭くなった場合に、目地プレート７が乗り上げることができる乗り上げ傾斜面１４となっている。
【００１６】
目地プレート７は、その一端部が第１の目地プレート支持部５に支持されると共に、その他端部が第２の目地プレート支持部６に直接又は間接的に（支持プレートを介して）支持された状態で目地部２の前後方向に複数個隙間なく設けられている。
【００１７】
この目地プレート７は、図３に示すように、平面視略長方形状の金属材製の目地プレート本体１５と、この目地プレート本体１５の一端部の両側部に設けられた前記取付ピン１２と、目地プレート本体１５の他端部側にヒンジ部材１６を介して取り付けられたカバープレート１７とで構成されている。
【００１８】
この目地プレート本体１５は、本実施形態では、目地プレート本体１５の略全体が平面視略ハニカム構造の格子状になるように多数の透孔２２が形成されている。本実施形態においては、枠状の部材の内側に、平面視ハニカム構造になるように組み合わせた金属板を固定することにより、この透孔２２が形成されている。
【００１９】
このようにハニカム構造の透孔２２を用いることにより、モルタル等を充填する目地プレートに比べても、強度を落とさず通気性を確保することができる。
【００２０】
目地プレート支持機構８の支持プレート９も、図４に示すように、目地プレート本体１５と同様にハニカム構造の格子状に形成されている。
【００２１】
このように支持プレート９及び目地プレート本体１５の透孔２２は、ハニカム構造の格子状に形成されているので、目地部２の空気が支持プレート９と目地プレート本体１５を通過することができる。したがって、目地部２の内部の空気を自然換気することができる。
【００２２】
目地プレート支持機構８の位置決め手段１１は、本実施形態では、支持バー１０が一定以上回動しないようにその動きを制限するワイヤー１８と、支持バー１０が他方の躯体４の壁面４ａから離れる方向に付勢する付勢具１９とで構成されている。このような位置決め手段１１により、支持プレート９は、地震による揺れ動きが収まった場合には、通常時の位置（図１や図２に示す位置）に自動的に復帰する。
【００２３】
この付勢具１９は、くの字状のリンク部材２０とこのリンク部材２０に接続され、リンク部材２０を開く方向に引張る引きバネ２１とで構成されている。
【００２４】
地震で躯体３、４が左右方向に揺れ動き目地部２が狭くなると、図５に示すように、目地プレート７は第２の目地プレート支持部６の乗り上げ傾斜面１４を乗り上げ、略垂直に上方にせり上がり、他方の躯体４の床面上をスライド移動するとともに、目地プレート支持台８の支持プレート９も乗り上げ傾斜面１４によって上方へ略垂直に持ち上げられて他方の躯体４の床面上をスライド移動し、地震による揺れ動きを吸収する。
【００２５】
この時、支持バー１０は、その下端部が他方の躯体の壁面４ａを支点に回動するとともに、上端部に取付られた支持プレート９も他方の躯体４の床面と略平行になるように支持バー１０の上端部を支点に回動する。
【００２６】
地震による揺れ動きが終了すると、目地プレート７は通常時の位置に復帰するとともに、支持プレート９も支持バー１０が付勢具１９の付勢力により一方の躯体方向に回動し、通常時の位置に復帰する。この時、支持バー１０が一方の躯体側へ回動しすぎないように、ワイヤー１８がその動きを制限する。
【００２７】
地震で躯体３、４が左右方向に揺れ動き目地部２が広くなると、図６に示すように、支持バー１０はワイヤー１８によって他方の躯体４側へ引っ張られるので、支持プレート９は他方の躯体４側へ移動する。この時目地プレート７は第２の目地プレート支持部６に支持されない状態となるが、目地プレート７の底面は支持プレート９により支持されているので、目地プレート７が目地部２へ落下することはないため、目地部２に隙間が生じることなく地震による揺れ動きを吸収することができる。
【００２８】
[発明を実施するための異なる形態]
次に、図７乃至図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２９】
図７乃至図１０に示す本発明を実施するための第２の形態において、前記本発明を実施するための第１の形態と主に異なる点は、平面視略方形の格子状となるように透孔２２を形成した目地プレート１５Ａとした目地プレート７Ａ及び平面視略方形の格子状となるように透孔２２を形成した支持プレート９Ａとした目地プレート支持機構８Ａを用いた目地プレート床用目地装置１Ａにしても、前記本発明を実施するための第１の形態と同様の作用効果を得ることができる。
【００３０】
図１０乃至図１４に示す本発明を実施するための第３の形態において、前記本発明を実施するための第１の形態と主に異なる点は、平面視略ひし形の格子状となるように透孔２２を形成した目地プレ１５Ｂとした目地プレート７Ｂ及び平面視略ひし形の格子状となるように透孔２２を形成した支持プレート９Ｂとした目地プレート支持機構８Ｂを用いるとともに、一方の躯体３に固定された筒状の部材を第１の目地プレート支持部５Ａとして用いた床用目地装置１Ｂにしても、前記本発明を実施するための第１の形態と同様の作用効果を得ることができる。
【００３１】
この筒状の第１の目地プレート支持部５Ａはボルト等で一方の躯体３の壁面３ａに固定されており、その上面で目地プレート７Ｂの一端部を支持している。またその中心部に設けられたピン挿入孔１３には、取付ピン１２が挿入される。
【００３２】
なお、本発明の実施形態においては、目地プレート及び支持プレートは、それぞれ全体的に略格子状の透孔を有しているが、部分的に略格子状の透孔を有してもよい。
【産業上の利用可能性】
【００３３】
本発明は床用目地装置を製造する産業で利用される。
【符号の説明】
【００３４】
１、１Ａ、１Ｂ：床用目地装置、      ２：目地部、
３：一方の躯体、                    ４：他方の躯体、
５：第１の目地プレート支持部、      ６：第２の目地プレート支持部、
７：目地プレート、                  
８、８Ａ、８Ｂ：目地プレート支持機構、
９、９Ａ、９Ｂ：支持プレート、      １０：支持バー、
１１：位置決め手段、                １２：取付ピン、
１３：ピン挿入孔、                  １４：乗り上げ傾斜面、
１５、１５Ａ、１５Ｂ：目地プレート本体、
１６：ヒンジ部材、                  １７：カバープレート、
１８：ワイヤー、                    １９：付勢具、
２０：リンク部材、                  ２１：引きバネ、
２２：透孔。
【図１】
2018188869.tif 000003
【図２】
2018188869.tif 000004
【図３】
2018188869.tif 000005
【図４】
2018188869.tif 000006
【図５】
2018188869.tif 000007
【図６】
2018188869.tif 000008
【図７】
2018188869.tif 000009
【図８】
2018188869.tif 000010
【図９】
2018188869.tif 000011
【図１０】
2018188869.tif 000012
【図１１】
2018188869.tif 000013
【図１２】
2018188869.tif 000014
【図１３】
2018188869.tif 000015
【図１４】
2018188869.tif 000016